(57)【特許請求の範囲】
【請求項１】
テルペン系炭化水素０．１〜１０質量％
ポリオキシエチレンアルキルエーテルまたは脂肪酸アルカノールアミドから選ばれるノニオン系界面活性剤１〜１０質量％
ポリオキシエチレンアルキルエーテル硫酸塩からなるアニオン系界面活性剤０．１〜５質量％
およびスルホコハク酸ジアルキルエステル０．１〜５質量％
を含有し、ｐＨが１０〜１０．５である油汚れ用硬質表面洗浄剤
【発明の詳細な説明】
【０００１】
【産業上の利用分野】
本発明は，硬質表面洗浄剤組成物に関し，詳しくは対物性が高く、手肌にやさしくかつ台所のレンジ周りや換気扇に付いた油汚れに対し優れた洗浄力を有する硬質表面洗浄剤組成物に関する。
【０００２】
【従来の技術】
台所のレンジ周りや換気扇などの硬質表面に付く汚れはホコリ、油脂や脂肪酸、またはこれらの汚れが弱く変性高分子化したものである。従来より、これらの硬質表面に付く汚れに対する洗浄剤は数多く提案されている。それらの多くは界面活性剤、アルコール系やグリコール系の有機溶剤、アルカリ剤が配合されているものでしつこい油汚れにも高い洗浄力を示す。また，溶剤にテルペン系炭化水素を用いたものも数多く提案されている。
【０００３】
【発明が解決しようとする課題】
しかし，従来のアルカリ剤が配合された洗浄剤やアルコール系やグリコール系の有機溶剤を用いた洗浄剤においては，PHが１１を越えるような強アルカリ性であるため，手が荒れてしまうという問題点を有していた。また市販されているテルペン系炭化水素を用いたものは洗浄力もあり手にもやさしいものであるが，テルペン系炭化水素の含有量が１０wt%以上と多いため，対物性が悪くプラスチック製品に使用すると割れてしまうという問題点を有していた。また，この様な製品はプラスチック製品に使用する時は水で希釈して使用する様になっているが，消費者には面倒であり，洗浄力も不十分なものになってしまう。
【０００４】
したがって，消費者にとって使い勝手が良く、油汚れに対して優れた洗浄力を有し，かつ，手あれや対物性に問題の無い硬質表面洗浄剤組成物の開発が望まれていた。
【０００５】
【課題を解決するための手段】
本発明者らはテルペン系炭化水素を用いた硬質表面洗浄剤組成物について鋭意研究を重ねた結果，テルペン系炭化水素と特定の界面活性剤を組み合わせることにより，上記の問題点を解決することを見出し，本発明に至った。
【０００６】
すなわち，本発明は，テルペン系炭化水素、ノニオン系界面活性剤、アニオン系界面活性剤及びスルホコハク酸ジアルキルエステルを含有する硬質表面洗浄剤組成物を提供するものである。
【０００７】
本発明の硬質表面洗浄剤組成物に用いられるテルペン系炭化水素はモノテルペン系炭化水素やセスキテルペン系炭化水素が挙げられる。モノテルペン系炭化水素としては、Ｄ−リモネン，Ｌ−リモネン、α−ピネン、β―ピネンなどを例示することができ、セスキテルペン系炭化水素としては、カリオフィレン、セドレン等を例示することができる。モノテルペン及びセスキテルペンから選ばれる炭化水素はそれぞれ単独で若しくは２種以上を混合して用いることができ、さらにはオレンジ油、レモン油、テルピン油、シダ油、クローバー油、カナンガ油、パイン油等のまま用いることも可能である。テルペン系炭化水素の配合量は０．１〜１０重量％、好ましくは０．５〜５重量％の範囲である。０．１％未満では十分な洗浄力を得ることができず、１０重量％を越えると対物性に問題があるため好ましくない。
【０００８】
本発明の硬質表面洗浄剤組成物に用いられるノニオン系界面活性剤はポリオキシエチレンアルキルエーテル、ポリオキシエチレンアルキルフェニルエーテル、脂肪酸アルカノールアミド、第３級アミンオキサイド等が挙げられる。
【０００９】
ポリオキシエチレンアルキルエーテルはポリオキシエチレン鎖が３から１８好ましくは７から１２であり、アルキル鎖は直鎖または分岐のどちらでも良く、アルキル鎖長は８〜２２好ましくは１２〜１４である。
【００１０】
また、ポリオキシエチレンアルキルフェニルエーテルはポリオキシエチレン鎖が３から１８好ましくは５から１２であり、アルキル鎖は直鎖または分岐のどちらでも良く、アルキル鎖長は８〜２２好ましくは１２〜１４である。
【００１１】
脂肪酸アルカノールアミドは、椰子油脂肪酸、ステアリン酸、ラウリン酸、のモノエタノールアミド、ジエタノールアミド等が挙げられ、第３級アミンオキサイドとしては、ラウリルジメチルアミンオキサイド、椰子油脂肪酸ジメチルアミンオキサイド等が挙げられる。
【００１２】
上記のノニオン系界面活性剤はそれぞれ単独で若しくは２種以上を混合して用いることができる。好ましい態様としては、ポリオキシエチレンアルキルエーテル、ポリオキシエチレンアルキルフェニルエーテルから選ばれる１種若しくは２種以上と、脂肪酸アルカノールアミド、第３級アミンオキサイドから選ばれる１種若しくは２種以上の混合物が挙げられる。
【００１３】
本発明の硬質表面洗浄剤組成物中のノニオン系界面活性剤の配合量は０．１〜２０重量％好ましくは１〜１０重量％である。０．１重量％未満では均一な洗浄剤組成物を調整することができず、また洗浄力も不十分である。また２０重量％以上では洗浄面に後残りができてしまいすすぎ性に劣る。
【００１４】
また、本発明の硬質表面洗浄剤組成物に用いられるアニオン系界面活性剤は、アルキル硫酸塩、アルキルスルホン酸塩、ポリオキシエチレンアルキルエーテル硫酸塩、ポリオキシエチレンアルキルフェニルエーテル硫酸塩等が挙げられる。
【００１５】
アルキル硫酸塩はアルキル鎖は直鎖または分岐のどちらでも良く、アルキル鎖長は８〜２２好ましくは１２〜１４であり、ナトリウム塩、カリウム塩、カルシウム塩、マグネシウム塩等が用いることができる。
【００１６】
アルキルスルホン酸塩は、アルキル鎖は直鎖または分岐のどちらでも良く、アルキル鎖長は８〜２２好ましくは１２〜１４であり、ナトリウム塩、カリウム塩、カルシウム塩、マグネシウム塩等が用いることができる。
【００１７】
ポリオキシエチレンアルキルエーテル硫酸塩は、ポリオキシエチレン鎖は１〜６好ましくは２〜５であり、アルキル鎖は直鎖または分岐のどちらでも良く、アルキル鎖長は８〜２２好ましくは１２〜１４であり、ナトリウム塩、カリウム塩、カルシウム塩、マグネシウム塩等が用いることができる。
【００１８】
ポリオキシエチレンアルキルフェニルエーテル硫酸塩は、ポリオキシエチレン鎖は１〜６好ましくは２〜５であり、アルキル鎖は直鎖または分岐のどちらでも良く、アルキル鎖長は８〜２２好ましくは１２〜１４であり、ナトリウム塩、カリウム塩、カルシウム塩、マグネシウム塩等が用いることができる。
【００１９】
上記のアニオン系界面活性剤はそれぞれ単独で若しくは２種以上を混合して用いることができる。アニオン系界面活性剤の配合量は０．０１〜１０重量％好ましくは０．１〜５重量％である。
【００２０】
本発明の硬質表面洗浄剤組成物に用いられるスルホコハク酸ジアルキルエステルとしては、アルキル鎖は直鎖または分岐のどちらでも良く、アルキル鎖長は好ましくは８〜１４であり、具体的には、スルホコハク酸ジオクチルエステルナトリウム塩、スルホコハク酸ジ−２−エチルヘキシルエステルナトリウム塩等を挙げることができる。
上記のスルホコハク酸ジアルキルエステルはそれぞれ単独で若しくは２種以上を混合して用いることができる。スルホコハク酸ジアルキルエステルの配合量は０．０１〜１０重量％好ましくは０．１〜５重量％である。
【００２１】
さらに本発明の硬質表面洗浄剤組成物には適当なＰＨ調整剤を加えることにより，ＰＨを８〜１１に調整されることが好ましい。ＰＨが８未満だと、洗浄力が低下し、期待する洗浄効果が得られない。また、PHが１１を越えると、手あれの原因になり好ましくない。ＰＨ調整剤は従来公知のものを用いることができ，具体的にはエチレンジアミン四酢酸またはそのナトリウム塩、モノエタノールアミン、ジエタノールアミン、トリエタノールアミン等の１種若しくは２種以上を混合して用いることができる。
【００２２】
本発明はさらに他の任意成分例えば，香料，色素，紫外線吸収剤，溶剤等を任意に配合することができる。
【００２３】
【実施例】
以下に実施例を挙げ，本発明の洗浄剤組成物についてさらに詳細に説明する。
【００２４】
実施例１
下記の処方にて洗浄剤組成物を調整した。
【００２５】
【表１】
0004888989.tif 000002
【００２６】
上記で作成した本発明品1〜４及び比較品1〜２の硬質表面洗浄剤の洗浄力、手あれ、対物性について下記の試験方法にて試験を行った。試験結果を表２に示す。
【００２７】
（洗浄力試験）
上記処方にて作成した本発明品1〜４及び比較品１〜２の硬質表面洗浄剤組成物を実際の台所の脂汚れ，換気扇の掃除に使用してもらい洗浄の程度について，下記の基準で評価した。
４…洗浄力がよい。
３…やや洗浄力がよい。
２…やや洗浄力が悪い。
１…洗浄力が悪い。
【００２８】
（手あれ試験）
上記処方にて作成した本発明品1〜４及び比較品１〜２の硬質表面洗浄剤組成物を手袋をせずに1週間し実際の台所の脂汚れ，換気扇の掃除に使用してもらい下記の基準で手のあれ具合を評価した。
３…手あれはなかった
２…手あれはないが手が乾燥した。
１…手があれた。
【００２９】
（対物試験）
幅10mm，長さ70mm厚さ1.5ｍｍのＡＢＳ樹脂及びポリエチレンテレフタレート樹脂の試験片を図１のようなｄ＝55mmの試験器にアーチ状に取り付け樹脂表面全体に上記処方にて作成した本発明品1〜４及び比較品１〜２の硬質表面洗浄剤組成物をを塗布した。塗布後1週間の様子を下記の基準にて評価した。
【００３０】
【図１】
0004888989.tif 000003
【００３１】
○ …割れ，白化，共になし。
△ …白化した
×…割れた
【００３２】
【表２】
0004888989.tif 000004
【００３３】
【本発明の効果】
本発明の硬質表面洗浄剤組成物は、上記の構成を採用した結果、アルコール系やグリコール系の有機溶剤を含まないため、手肌に優しく、しかも、洗浄力優れ、対物性も高いものである。